(57)【要約】【課題】シートクッションを立ち姿勢のシートバックに向けて跳上げ可能に備える自動車用チップアップ式シートで、シートクッションとシートバックとの相対間隔を小物の収納スペースとして有効利用し、シートクッションの跳上げに伴う小物の落ち込みを防ぐと共に、後部シートの着座者がシートクッションの座部面を足で蹴ることによる汚れの発生も防ぐ。【解決手段】帯状のトリム部材６をシートクッション２の後部下面とシートバック１の下部背面との間に掛渡し装着し、その帯状のトリム部材６を底部とする小物の収納ポケットとしてシートクッション２とシートバック１との相対空間Ｓ１を使用可能に組み立てる。【選択図】図１
2005075193.tif 000002
【特許請求の範囲】
【請求項１】
シートクッションを立ち姿勢のシートバックに向けて跳上げ可能に備える自動車用チップアップ式シートにおいて、帯状のトリム部材をシートクッションの後部下面とシートバックの下部背面との間に掛渡し装着し、その帯状のトリム部材を底部とする小物の収納ポケットとしてシートクッションとシートバックとの相対空間を使用可能に組み立てたことを特徴とする自動車用チップアップ式シート。
【請求項２】
跳上げ姿勢のシートクッションと立ち姿勢のシートバックとの上部間に掛け渡すネット部材をシートクッションとシートバックとの相対空間に収容する小物の覆い用としてシートクッションの底部に着脱自在に備え付けたことを特徴とする請求項１に記載の自動車用チップアップ式シート。
【発明の詳細な説明】
【技術分野】
【０００１】
本発明は、シートクッションを立ち姿勢のシートバックに向けて跳ね上げ可能に備える自動車用チップアップ式シートに関するものである。
【背景技術】
【０００２】
ワゴン車等の自動車においては、乗員のウオークインスペースや荷物の収納スペース等を確保するため、シートクッションを立ち姿勢のシートバックに向けて跳ね上げられるチップアップ式のシートを装備することが行なわれている（特許文献１）。
【０００３】
その自動車用チップアップ式シートにおいては、シートクッションを跳ね上げる構成から、シートクッションが着座姿勢でシートバックの下部と接する後部より離れた前方寄りの側部でスライドレールのアッパーレールより立ち上がるサイドブラケットに軸承枢着されている。このため、シートクッションを跳ね上げると、跳上げ姿勢のシートクッションと立ち姿勢のシートバックとの間には大きな相対空間が生ずる。
【特許文献１】特開２００２−１０４０３９号公報
【発明の開示】
【発明が解決しようとする課題】
【０００４】
解決しようとする課題は、シートクッションの座部面に置かれた小物がシートクッションの跳上げに伴って立ち姿勢のシートバックとの間に生ずる相対空間よりフロア側に落ち込むのを防げず、また、後部シートの着座者がシートクッションの座面部を足で蹴ることによる汚れが生ずる点である。殊に、シートクッションの跳上げに伴って立ち姿勢のシートバックとの間に生ずる相対空間が有効利用されていない点である。
【課題を解決するための手段】
【０００５】
本発明は、帯状のトリム部材をシートクッションの後部下面とシートバックの下部背面との間に掛渡し装着し、その帯状のトリム部材を底部とする小物の収納ポケットとしてシートクッションとシートバックとの相対空間を使用可能に組み立てたことを最も主要な特徴とする。
【０００６】
それに加えて、本発明は、跳上げ姿勢のシートクッションと立ち姿勢のシートバックとの上部間に掛け渡すネット部材をシートクッションとシートバックとの相対空間に収容する小物の覆い用としてシートクッションの底部に着脱自在に備え付けたことを特徴とする。
【発明の効果】
【０００７】
本発明の自動車用チップアップ式シートは、シートクッションの後部下面とシートバックの下部背面との間に掛渡し装着した帯状のトリム部材により、シートクッションとシートバックとの相対間隔を小物の収納スペースとして有効利用できる。また、シートクッションの跳上げに伴う小物の落ち込みを防げると共に、後部シートの着座者がシートクッションの座部面を足で蹴ることによる汚れの発生も防げる利点を有する。
【０００８】
それと共に、跳上げ姿勢のシートクッションと立ち姿勢のシートバックとの相対空間に収納する場合、ネット部材を両者の上部間に掛け渡すことにより、シートクッションの上部側にはみ出るような荷物でも脱落しないよう安定よく支持できる利点を有する。
【発明を実施するための最良の形態】
【０００９】
図示実施の形態は、自動車用のアシスタントシートを示す。このアシスタントシートは、シートバック１をシートクッション２に向けて前倒し乃至は後倒しの角度調整可能なリクライニング式に構成されている。また、乗員のウオークインスペースや荷物の収納スペース等を確保することを主目的とし、シートクッション２をシートバック１に向けて跳上げ可能なチップアップ式と共に、シート全体をロングスライドレール３でフロント側に位置移動可能なスライド式に構成されている。
【００１０】
そのアシスタントシートは、図１で示すように中央の座面部１ａ，２ａより隆起する左右の土手部１ｂ，２ｂを設けたバケット型のシートバック１並びにシートクッション２を備えて組み立てられている。チップアップ式シートとしては、通常の着座状態で、シートクッション２をシートバック１の下部と接する後部より離れた前方寄りの側部で枢軸４によりスライドレール３のアッパーレールから立ち上がるサイドブラケット５に軸承枢着することによりシートクッション２を跳上げ可能に構成されている。
【００１１】
そのチップアップ式シートにおいては、帯状のトリム部材６をシートクッション２の後部下面とシートバック１の下部背面との間に掛渡し装着することにより、帯状のトリム部材６を底部とする小物の収納ポケットとしてシートクッション２とシートバック１との相対空間を使用可能に組み立てられている。このトリム部材６としては、ニードルパンチ布で形成したものが備え付けられている。
【００１２】
そのトリム部材６は、通常の着座状態ではシートクッション２の後部とシートバック１の下部との間に保たれる小さな相対空間Ｓ１より背後に位置する袋状の弛みを呈する長さを有する（図１参照）。シートクッション２の跳上げ状態では、図２で示すように立ち姿勢のシートバック１とに生ずる大きな相対空間Ｓ２の底部として両者間に亘る長さを有する。幅的には、図３で示すようにシートクッション２の後部側を被包可能な広い横幅を有する。
【００１３】
そのトリム部材６は、ニードルパンチ布で形成するため、シートクッション２とシートバック１との間で袋状の弛みを呈する長さ部分を目付量の多いもので強度を付与し、シートクッション２の後部下面並びにシートバック１の下部背面に亘る長さ部分を目付量の小さなもので取付け易くするよう複数のピースにより縫合せ形成できる。また、袋状を呈する長さ部分のサイドマチとして伸縮自在なフリル状の布部材を取り付けることからてるようにもできる。
【００１４】
このように構成するチップアップ式シートでは、トリム部材６が通常の着座状態で袋状を呈するため、シートクッション２の後部とシートバック１の下部との相対空間Ｓ１から、小物Ｇ１を出入れ可能なシークレットポケットとして有効活用できる（図１参照）。シートクッション２を跳ね上げると、立ち姿勢のシートバック１との座面間には大きな相対空間Ｓ２が保てるため、例えば買い物袋等の小物Ｇ２を収容するスペースとして有効活用できる（図２参照）。
【００１５】
シートクッション２を跳ね上げる際に、小物がシートクッション２の座部面に置かれていたとしても、相対空間Ｓ２からトリム部材６で受け止められるからフロア側にまで落ち込むのを防げる。また、シートクッション２の跳上げにより後部側の座面部が後向きになってもトリム部材６で覆われているため、後部シートの着座者がシートクッション２の座面部を足で蹴ることによる汚れの発生を防げる。なお、袋状を呈する長さ部分のサイドマチとしてフリル等の伸縮自在な布部材を取り付けることから、小物がトリム部材６の左右より落ち出すのも防げる。
【００１６】
小物Ｇ２を跳上げ姿勢のシートクッション２と立ち姿勢のシートバック１との相対空間に収納する場合、図４で示すように両者１、２の上部間に掛け渡す伸縮自在なネット部材７を小物Ｇ２の覆い用として備え付けるとよい。このネット部材７により、シートクッション２の上部側にはみ出るような荷物でも脱落しないよう安定よく支持できる。
【００１７】
そのネット部材７は、図５で示すように掛止めフック７ａを四隅に取り付けると共に、引掛けピン７ｂをシートクッション２の底面に植設することによりシートクッション２の底部に着脱自在に備え付けられる。また、アンダーボックス８をサイドブラケット５の間に備え付けると、ネット部材７をアンダーボックス８のボックス内に収納するよう備え付けられる。
【図面の簡単な説明】
【００１８】
【図１】本発明に係る自動車用チップアップ式シートを着座姿勢で示す側面図である。
【図２】図１のチップアップ式シートをシートクッションの跳上げ姿勢で示す側面図である。
【図３】図１のチップアップ式シートを着座姿勢で示す背面斜視図である。
【図４】図２のシートにおける小物のネット部材による掛止め状態を示す説明図である。
【図５】図４のネット部材を着脱自在に備える収納場所を示す説明図である。
【符号の説明】
【００１９】
１    シートバック
２    シートクッション
６    トリム部材
７    ネット部材
Ｓ１，Ｓ２    相対空間
Ｇ１，Ｇ２    小物
【図１】
2005075193.tif 000003
【図２】
2005075193.tif 000004
【図３】
2005075193.tif 000005
【図４】
2005075193.tif 000006
【図５】
2005075193.tif 000007